(57)【要約】【課題】ユーザの利便性を向上させること。【解決手段】監視システムは、複数の電源部と、複数の前記電源部のそれぞれに電力を供給し、複数の前記電源部のそれぞれとネットワークとを通信可能に接続する電力線と、前記電力線によって構成される前記ネットワークを介して複数の前記電源部のそれぞれを監視する監視部と、を備える。【選択図】図３
2018157501.tif 000002
【特許請求の範囲】
【請求項１】
複数の電源部と、
複数の前記電源部のそれぞれに電力を供給し、複数の前記電源部のそれぞれとネットワークとを通信可能に接続する電力線と、
前記電力線によって構成される前記ネットワークを介して複数の前記電源部のそれぞれを監視する監視部と、
を備える監視システム。
【請求項２】
複数の前記電源部のそれぞれと前記監視部とを接続する信号線
をさらに備え、
前記監視部は、複数の前記電源部のそれぞれに対して信号の疎通確認を実行し、複数の前記電源部のそれぞれの状態を監視する
請求項１に記載の監視システム。
【請求項３】
複数の前記電源部のそれぞれと前記監視部とを接続する信号線
をさらに備え、
前記監視部は、複数の前記電源部のそれぞれに対する信号の疎通確認を実行し、複数の前記電源部のそれぞれが異常状態であるか前記電力線が異常状態であるかを監視する
請求項１または請求項２に記載の監視システム。
【請求項４】
前記監視部は、第１の経路および前記第１の経路とは異なる第２の経路の一方または両方の経路を用いて複数の前記電源部のそれぞれに対して信号の疎通確認を実行する
請求項２または請求項３に記載の監視システム。
【請求項５】
複数の電源部と、
複数の前記電源部のそれぞれに電力を供給し、複数の前記電源部のそれぞれとネットワークとを通信可能に接続する電力線と、
前記電力線によって構成される前記ネットワークを介して複数の前記電源部のそれぞれを監視する監視部と、
を備える監視装置。
【請求項６】
複数の電源部と、
複数の前記電源部のそれぞれに電力を供給し、複数の前記電源部のそれぞれとネットワークとを通信可能に接続する電力線と、
を備えるコンピュータに、
前記電力線によって構成される前記ネットワークを介して複数の前記電源部のそれぞれを監視させる、
監視方法。
【請求項７】
複数の電源部と、
複数の前記電源部のそれぞれに電力を供給し、複数の前記電源部のそれぞれとネットワークとを通信可能に接続する電力線と、
を備えるコンピュータに、
前記電力線によって構成される前記ネットワークを介して複数の前記電源部のそれぞれを監視させるステップ、
を実行させるためのプログラム。
【発明の詳細な説明】
【技術分野】
【０００１】
本発明は、監視システム、監視装置、監視方法、およびプログラムに関する。
【背景技術】
【０００２】
電力供給と通信が可能な電力線を用いて障害を検出する技術がある。例えば、特許文献１には、画像形成装置において、全ての電源コードの間に介設された管理部と、複数のＣＰＵを、それぞれ、管理本体部に接続する複数の電力線と、を備え、管理本体部が、電力線を通信回線として利用して、管理本体部から、電力線、ＣＰＵ、内部信号線、別のＣＰＵ、及び別の電力線を経て、管理本体部へ戻る、閉ループが、通信可能に成立するか否かを検知する障害を検出するものである。
【先行技術文献】
【特許文献】
【０００３】
【特許文献１】特開２０１１−６４５６５号公報
【発明の概要】
【発明が解決しようとする課題】
【０００４】
しかしながら、特許文献１の技術では、閉ループ内で障害が発生しているか否かは検出できるものの、閉ループ内のどこで障害が発生しているか否かを特定することができず、ユーザの利便性が十分でないという課題があった。
【０００５】
本発明は、上述の課題を解決する情監視システム、監視装置、監視方法、およびプログラムを提供することを目的とする。
【課題を解決するための手段】
【０００６】
本発明の第１の態様は、複数の電源部と、複数の前記電源部のそれぞれに電力を供給し、複数の前記電源部のそれぞれとネットワークとを通信可能に接続する電力線と、前記電力線によって構成される前記ネットワークとは異なるネットワークを介して複数の前記電源部のそれぞれを監視する監視部と、を備える監視システムである。
【０００７】
本発明の第２の態様は、複数の電源部と、複数の前記電源部のそれぞれに電力を供給し、複数の前記電源部のそれぞれとネットワークとを通信可能に接続する電力線と、前記電力線によって構成される前記ネットワークとは異なるネットワークを介して複数の前記電源部のそれぞれを監視する監視部と、を備える監視装置である。
【０００８】
本発明の第３の態様は、複数の電源部と、複数の前記電源部のそれぞれに電力を供給し、複数の前記電源部のそれぞれとネットワークとを通信可能に接続する電力線と、を備えるコンピュータに、前記電力線によって構成される前記ネットワークとは異なるネットワークを介して複数の前記電源部のそれぞれを監視させる、監視方法である。
【０００９】
本発明の第４の態様は、複数の電源部と、複数の前記電源部のそれぞれに電力を供給し、複数の前記電源部のそれぞれとネットワークとを通信可能に接続する電力線と、を備えるコンピュータに、前記電力線によって構成される前記ネットワークとは異なるネットワークを介して複数の前記電源部のそれぞれを監視させるステップ、を実行させるためのプログラムである。
【発明の効果】
【００１０】
本発明の一態様によれば、ユーザの利便性を向上させることができる。
【図面の簡単な説明】
【００１１】
【図１】第１の実施形態に係る監視システムの構成の一例を示すシステム構成図である。
【図２】第１の実施形態に係る監視装置の構成の一例を示す概略ブロック図である。
【図３】第１の実施形態に係る監視装置の構成の他の一例を示す概略ブロック図である。
【図４】第１の実施形態に係る監視装置の監視処理の一例を示すフローチャートである。
【図５】第１の実施形態に係る監視装置の監視処理の一例を示すフローチャートである。
【図６】第１の実施形態に係る監視装置の監視処理の一例を示すフローチャートである。
【発明を実施するための形態】
【００１２】
以下、本発明の実施形態について図面を参照して説明する。
【００１３】
（第１の実施形態）
図１は、第１の実施形態に係る監視システムの構成の一例を示すシステム構成図である。
監視システムＳＹＳは、監視装置１と、第１スイッチユニット２Ａと、第２スイッチユニット２Ｂと、ハブＨＢと、を含んで構成される。第１スイッチユニット２Ａと第２スイッチユニット２Ｂとは、電力線（ＰＬ５、ＰＬ６）により電源ＤＧと接続される。電力線は、電力の供給と通信とが可能な配線である。電源ＤＧは、ネットワークＮＷに接続される。また、監視装置１および第１スイッチユニット２Ａと、監視装置１および第２スイッチユニット２Ｂとのそれぞれは、電力線で接続される。すなわち、監視装置１は、電力線を用いて接続される第１スイッチユニット２Ａおよび第２スイッチユニット２Ｂを介して電力を受電し、電力線を用いて接続される第１スイッチユニット２Ａおよび第２スイッチユニット２Ｂ、ネットワークＮＷを介して通信する。
ここで、以下の説明において第１スイッチユニット２Ａと第２スイッチユニット２Ｂとを特に区別しないときには、スイッチユニット２とも称する。
【００１４】
また、監視装置１は、ＬＡＮ（Ｌｏｃａｌ  Ａｒｅａ  Ｎｅｔｗｏｒｋ）（登録商標）ケーブルＬ２により、ハブＨＢと接続される。ハブＨＢは、ＬＡＮケーブルＬ１によりネットワークＮＷと接続される。すなわち、監視装置１は、ハブＨＢ、ネットワークＮＷを介して通信する。
なお、監視装置１は、ＬＡＮケーブル以外の有線ケーブルでハブＨＢやネットワークＮＷと接続してもよいし、無線によりハブＨＢやネットワークＮＷと接続してもよい。
【００１５】
監視装置１は、例えば、パーソナルコンピュータ（ＰＣ）等の端末装置、情報処理が可能な情報処理装置などの電子機器である。
スイッチユニット２は、監視装置１への電力供給をオン／オフ切り替えするためのスイッチ（非図示）を備える。なお、スイッチユニット２は、スイッチの他に電源タップの機能を備えてもよい。
また、スイッチユニット２は、ネットワーク制御部（非図示）が含まれる。ネットワーク制御部は、スイッチユニット２のＩＰ（Ｉｎｔｅｒｎｅｔ  Ｐｒｏｔｃｏｌ）アドレスとＭＡＣ（Ｍｅｄｉａ  Ａｃｃｅｓｓ  Ｃｏｎｔｒｏｌ）アドレスを管理する。該ＩＰアドレスは、例えば、監視装置１と通信可能なＩＰアドレスである。ネットワーク制御部は、疎通確認信号（ｐｉｎｇ要求）を受信すると応答（ｐｉｎｇ返信）する。
【００１６】
図２は、第１の実施形態に係る監視装置の構成の一例を示す概略ブロック図である。
監視装置１は、電源監視部１１と、電源接続部１２と、電源モジュール１３と、電源モジュール１４と、電源モジュール１５と、電源モジュール１６と、を含んで構成される。電源監視部１１は、診断部１１１と、ネットワーク制御部１１２とを含んで構成される。電源モジュール１３は、電力変換モジュール１３１と、ネットワーク制御部１３２とを含んで構成される。なお、電源モジュール１４、１５、１６は、電源モジュール１３と同様に電力変換モジュールとネットワーク制御部とを含んで構成されるが、図示を省略する。
【００１７】
電源監視部１１は、例えば、ベースマネージメントコントローラ（Ｂａｓｅ  Ｍａｎａｇｅｍｅｎｔ  Ｃｏｎｔｒｏｌｌｅｒ）であり、監視装置１を制御する。
診断部１１１は、電源接続部１２を介して各電源モジュールと信号線で接続される。診断部１１１は、電源接続部１２と、電源モジュール１３と、電源モジュール１４と、電源モジュール１５と、電源モジュール１６と、各電源モジュールが備える電力変換モジュール（例えば、電力変換モジュール１３１）と、各電源モジュールが備えるネットワーク制御部（例えば、ネットワーク制御部１３２）と、各スイッチユニット２が備えるスイッチと、各スイッチユニット２が備えるネットワーク制御部と、における障害の状態を監視する。
【００１８】
具体的には、診断部１１１は、電源接続部１２と、電源モジュール１３と、電源モジュール１４と、電源モジュール１５と、電源モジュール１６と、各電源モジュールが備える電力変換モジュール（例えば、電力変換モジュール１３１）と、各電源モジュールが備えるネットワーク制御部（例えば、ネットワーク制御部１３２）と、各スイッチユニット２が備えるスイッチと、各スイッチユニット２が備えるネットワーク制御部と、のそれぞれに対する疎通確認を実行することにより、監視装置１の電源モジュールの状態を監視する。より具体的には、診断部１１１は、疎通確認信号（ｐｉｎｇ要求）を受信すると応答（ｐｉｎｇ返信）する。また、疎通確認信号（ｐｉｎｇ要求）を送信し、その応答（ｐｉｎｇ返信）を受信する。
【００１９】
ここで、電源モジュールの状態の監視とは、監視装置１の電源系統に障害が発生している（していない）状態や、電源モジュールで障害が発生している（していない）状態や、各モジュールやユニットを接続する電力線で障害が発生している（していない）状態や、電源モジュールで障害が発生している場合、いずれの電源モジュールで障害が発生しているかや、電力線で障害が発生している場合、いずれの電力線で障害が発生しているかや、電源ＤＧ（コンセント）との接続に障害が発生している（していない）状態などを判定（特定）することである。
【００２０】
ネットワーク制御部１１２は、監視装置１が外部装置との通信に用いるＩＰ（Ｉｎｔｅｒｎｅｔ  Ｐｒｏｔｃｏｌ）アドレスとＭＡＣ（Ｍｅｄｉａ  Ａｃｃｅｓｓ  Ｃｏｎｔｒｏｌ）アドレスを管理する。
【００２１】
電源接続部１２は、監視装置１と各電源モジュールとを接続するためのインタフェースである。図示する例では、電源接続部１２は、電源監視部１１と電源モジュールとを接続するためのインタフェースである。
【００２２】
電源モジュール１３は、監視装置１に電力を供給する電源部である。電源モジュール１３は、スイッチユニット２と電力線ＰＬ１により接続され、電源ＤＧからの電力を得て監視装置１に供給する。
電力変換モジュール１３１は、電源ＤＧから得た電力を交流（ＡＣ）電圧から直流（ＤＣ）電圧に変換する。
ネットワーク制御部１３２は、電源モジュール１３のＩＰ（Ｉｎｔｅｒｎｅｔ  Ｐｒｏｔｃｏｌ）アドレスとＭＡＣ（Ｍｅｄｉａ  Ａｃｃｅｓｓ  Ｃｏｎｔｒｏｌ）アドレスを管理する。該ＩＰアドレスは、例えば、監視装置１と通信可能なＩＰアドレスである。ネットワーク制御部１３２は、疎通確認信号（ｐｉｎｇ要求）を受信すると応答（ｐｉｎｇ返信）する。
【００２３】
電源モジュール１４と、電源モジュール１５と、電源モジュール１６とは、電源モジュール１３と同様の構成であるので説明を省略する。
電源モジュール１３と、電源モジュール１４とは、第２スイッチユニット２Ｂと電力線ＰＬ１、電力線ＰＬ２でそれぞれ接続される。電源モジュール１５と、電源モジュール１６とは、第１スイッチユニット２Ａと、電力線ＰＬ３、電力線ＰＬ４でそれぞれ接続される。電源モジュール１３と、電源モジュール１４と、電源モジュール１５と、電源モジュール１６とは、電源接続部１２に対して並列に接続される。
【００２４】
図３は、第１の実施形態に係る監視装置１の構成の他の一例を示す概略ブロック図である。
図示するように、監視装置１は、電源監視部１１と、電源モジュール１３と、電源モジュール１４と、を少なくとも備えていればよい。
すなわち、監視装置１は、電源監視部１１と、複数の電源モジュールとを少なくとも備えていればよい。
【００２５】
図４から図６は、第１の実施形態に係る監視装置の監視処理の一例を示すフローチャートである。
ステップＳ１０１において、例えば、複数の電源モジュールのうちのいずれかの電源モジュールにおいて障害が発生した場合、該いずれかの電源モジュールは、障害が発生したことを表す障害発生通知を診断部１１１に出力する。
ステップＳ１０２において、診断部１１１は、電源モジュールから出力された障害発生通知に基づいて、電源系統に障害が発生したことを検出する。これにより、以下の処理を実行する。なお、以下の説明において、電源モジュールと記載するときは、電源モジュール１３と、電源モジュール１４と、電源モジュール１５と、電源モジュール１６との全ての電源モジュールそれぞれを表すものとして説明する。
【００２６】
ステップＳ１０４において、診断部１１１は、電源モジュールにＡＣ電源（ＡＣ電圧）が供給されているか否かを判定する。
電源モジュールにＡＣ電源が供給されていない場合（ステップＳ１０４：ＮＯ）、診断部１１１は、ステップＳ１０８の処理を実行する。一方、電源モジュールにＡＣ電源が供給されている場合（ステップＳ１０４：ＹＥＳ）、診断部１１１は、ステップＳ１０５の処理を実行する。
ステップＳ１０５において、診断部１１１は、電源モジュールからＰＷＯＫ（ＰＯＷＥＲ  ＯＫ）信号が出力されているか否かを判定する。ここで、ＰＷＯＫ信号は、電源モジュールに供給される電力の電圧が所望の電圧値に到達したときに出力される信号である。ＰＷＯＫ信号は、例えば、所望電圧値３．３Ｖである場合、電源モジュールに供給される電力の電圧値が０Ｖから３．３Ｖに到達した場合に出力される。
電源モジュールからＰＷＯＫ信号が出力されていない場合（ステップＳ１０５：ＮＯ）、診断部１１１は、ステップＳ１０７の処理を実行する。一方、電源モジュールからＰＷＯＫ信号が出力されている場合（ステップＳ１０５：ＹＥＳ）、診断部１１１は、ステップＳ１０６の処理を実行する。
【００２７】
ステップＳ１０６において、診断部１１１は、電源系統に障害がない、すなわち電源系統が正常であると判定し、監視処理を終了する。
ステップＳ１０７において、診断部１１１は、ＰＷＯＫ信号を出力していない電源モジュールで障害が発生していると判定し、該電源モジュールを障害発生中の電源モジュールとして特定する。そして、監視処理を終了する。
ステップＳ１０８において、診断部１１１は、電源モジュール以外の電力供給に関する障害が発生していると判定する。
ステップＳ１０９において、診断部１１１は、各スイッチユニット２と電源モジュールに対して疎通確認を実行する。
【００２８】
ステップＳ１１０において、診断部１１１は、全てのスイッチユニット２および全ての電源モジュールから応答（ｐｉｎｇ返信）を受信したか否かを判定する。全てのスイッチユニット２および全ての電源モジュールから応答（ｐｉｎｇ返信）を受信した場合（ステップＳ１１０：ＹＥＳ）、診断部１１１は、ステップＳ１０６の処理を実行する。一方、全てのスイッチユニット２および全ての電源モジュールから応答（ｐｉｎｇ返信）を受信していない場合（ステップＳ１１０：ＮＯ）、診断部１１１は、ステップＳ１１１の処理を実行する。
【００２９】
ステップＳ１１１において、診断部１１１は、第１スイッチユニット２Ａからの応答（ｐｉｎｇ返信）を受信したか否かを判定する。第１スイッチユニット２Ａからの応答（ｐｉｎｇ返信）を受信した場合（ステップＳ１１１：ＹＥＳ）、診断部１１１は、ステップＳ１１５の処理を実行する。一方、第１スイッチユニット２Ａからの応答（ｐｉｎｇ返信）を受信していない場合（ステップＳ１１１：ＮＯ）、診断部１１１は、ステップＳ１１２の処理を実行する。
【００３０】
ステップＳ１１２において、診断部１１１は、第２スイッチユニット２Ｂからの応答（ｐｉｎｇ返信）を受信したか否かを判定する。第２スイッチユニット２Ｂからの応答（ｐｉｎｇ返信）を受信した場合（ステップＳ１１２：ＹＥＳ）、診断部１１１は、ステップＳ１１３の処理を実行する。一方、第２スイッチユニット２Ｂからの応答（ｐｉｎｇ返信）を受信していない場合（ステップＳ１１２：ＮＯ）、診断部１１１は、ステップＳ１１４の処理を実行する。
ステップＳ１１３において、診断部１１１は、第１スイッチユニット２Ａで障害が発生していると判定し、ステップＳ１２０の処理を実行する。
ステップＳ１１４において、診断部１１１は、コンセント、すなわち電源ＤＧとの接続に障害が発生していると判定し、ステップＳ１２０の処理を実行する。
【００３１】
ステップＳ１１５において、診断部１１１は、電源モジュール１５からの応答（ｐｉｎｇ返信）を受信したか否かを判定する。電源モジュール１５からの応答（ｐｉｎｇ返信）を受信した場合（ステップＳ１１５：ＹＥＳ）、診断部１１１は、ステップＳ１１７の処理を実行する。一方、電源モジュール１５からの応答（ｐｉｎｇ返信）を受信していない場合（ステップＳ１１５：ＮＯ）、診断部１１１は、ステップＳ１１６の処理を実行する。
ステップＳ１１６において、診断部１１１は、第１スイッチユニット２Ａと電源モジュール１５との間の電力線ＰＬ３で障害が発生していると判定し、ステップＳ１２０の処理を実行する。
【００３２】
ステップＳ１１７において、診断部１１１は、電源モジュール１６からの応答（ｐｉｎｇ返信）を受信したか否かを判定する。電源モジュール１６からの応答（ｐｉｎｇ返信）を受信した場合（ステップＳ１１７：ＹＥＳ）、診断部１１１は、ステップＳ１０６の処理を実行する。一方、電源モジュール１６からの応答（ｐｉｎｇ返信）を受信していない場合（ステップＳ１１７：ＮＯ）、診断部１１１は、ステップＳ１１８の処理を実行する。
ステップＳ１１８において、診断部１１１は、第１スイッチユニット２Ａと電源モジュール１６との間の電力線ＰＬ４で障害が発生していると判定し、ステップＳ１２０の処理を実行する。
【００３３】
ステップＳ１２０において、診断部１１１は、第２スイッチユニット２Ｂからの応答（ｐｉｎｇ返信）を受信したか否かを判定する。第２スイッチユニット２Ｂからの応答（ｐｉｎｇ返信）を受信した場合（ステップＳ１２０：ＹＥＳ）、診断部１１１は、ステップＳ１２４の処理を実行する。一方、第２スイッチユニット２Ｂからの応答（ｐｉｎｇ返信）を受信していない場合（ステップＳ１２０：ＮＯ）、診断部１１１は、ステップＳ１２１の処理を実行する。
【００３４】
ステップＳ１２１において、診断部１１１は、第１スイッチユニット２Ａからの応答（ｐｉｎｇ返信）を受信したか否かを判定する。第１スイッチユニット２Ａからの応答（ｐｉｎｇ返信）を受信した場合（ステップＳ１２１：ＹＥＳ）、診断部１１１は、ステップＳ１２２の処理を実行する。一方、第１スイッチユニット２Ａからの応答（ｐｉｎｇ返信）を受信していない場合（ステップＳ１２１：ＮＯ）、診断部１１１は、ステップＳ１２３の処理を実行する。
ステップＳ１２２において、診断部１１１は、第２スイッチユニット２Ｂで障害が発生していると判定し、監視処理を終了する。
ステップＳ１２３において、診断部１１１は、コンセント、すなわち電源ＤＧとの接続に障害が発生していると判定し、監視処理を終了する。
【００３５】
ステップＳ１２４において、診断部１１１は、電源モジュール１３からの応答（ｐｉｎｇ返信）を受信したか否かを判定する。電源モジュール１３からの応答（ｐｉｎｇ返信）を受信した場合（ステップＳ１２４：ＹＥＳ）、診断部１１１は、ステップＳ１２６の処理を実行する。一方、電源モジュール１３からの応答（ｐｉｎｇ返信）を受信していない場合（ステップＳ１２４：ＮＯ）、診断部１１１は、ステップＳ１２５の処理を実行する。
ステップＳ１２５において、診断部１１１は、第２スイッチユニット２Ｂと電源モジュール１３との間の電力線ＰＬ１で障害が発生していると判定し、監視処理を終了する。
【００３６】
ステップＳ１２６において、診断部１１１は、電源モジュール１４からの応答（ｐｉｎｇ返信）を受信したか否かを判定する。電源モジュール１４からの応答（ｐｉｎｇ返信）を受信した場合（ステップＳ１２６：ＹＥＳ）、診断部１１１は、ステップＳ１０６の処理を実行する。一方、電源モジュール１４からの応答（ｐｉｎｇ返信）を受信していない場合（ステップＳ１２６：ＮＯ）、診断部１１１は、ステップＳ１２７の処理を実行する。
ステップＳ１２７において、診断部１１１は、第２スイッチユニット２Ｂと電源モジュール１４との間の電力線ＰＬ２で障害が発生していると判定し、監視処理を終了する。
【００３７】
図４、図５、図６によれば、スイッチユニット２での障害や電源ＤＧでの障害か、各ユニットやモジュールの配線での障害か、電源モジュールでの障害かを特定することができ、保守員による目視でのメンテナンスに係る負担を軽減することができるため、ユーザの利便性を向上させることができる。
【００３８】
このように、第１の実施形態によれば、監視システムＳＹＳは、複数の電源部（電源モジュール１３、電源モジュール１４、電源モジュール１５、電源モジュール１６）と、複数の電源部（電源モジュール１３、電源モジュール１４、電源モジュール１５、電源モジュール１６）のそれぞれに電力を供給し、複数の電源部（電源モジュール１３、電源モジュール１４、電源モジュール１５、電源モジュール１６）のそれぞれとネットワークとを通信可能に接続する電力線（ＰＬ１、ＰＬ２、ＰＬ３、ＰＬ４）と、電力線によって構成されるネットワークとは異なるネットワークを介して複数の電源部（電源モジュール１３、電源モジュール１４、電源モジュール１５、電源モジュール１６）のそれぞれを監視する監視部（電源監視部１１）と、を備える。
【００３９】
このような構成によれば、監視システムにおいて電源障害の自己診断が可能となるため、遠隔地などからのリモート作業も可能となり、ユーザの利便性を向上させることができる。また、電力線を用いることで、新たな通信ケーブル等を用いる必要もなく、初期コストを低減でき、また、配線の際のユーザの利便性を向上させることもできる。また、複数の電源部のいずれで障害が発生しているかを監視することもできる。
【００４０】
なお、第１の実施形態では、第１の経路として、監視装置１から第１スイッチユニット２Ａ、および／または第２スイッチユニット２Ｂ、電力線ＰＬ５、および／または電力線ＰＬ６、電源ＤＧを介して疎通確認を実行する場合の一例について説明したが、第２の経路として、監視装置１からＬＡＮケーブルＬ２、ハブＨＢ、ＬＡＮケーブルＬ１、ネットワークＮＷ、電源ＤＧ、電力線ＰＬ５、および／または電力線ＰＬ６、第１スイッチユニット２Ａ、および／または第２スイッチユニット２Ｂを介して疎通確認を実行してもよい。すなわち、監視装置１は、第１の経路および第２の経路の一方または両方の経路で疎通確認を実行してもよい。
いずれか一方の経路を用いて疎通確認を実行する場合には、いずれかの経路での疎通確認を実行できない場合であっても、もう一方の経路において疎通確認を実行することができる。
また、両方の経路を用いて疎通確認を実行する場合には、第１の経路において特定された障害箇所と、第２の経路において特定された障害箇所とを対比判定することで、いずれか一方の経路で疎通確認を実行する場合よりも詳細に障害箇所を特定することができる。
具体的には、例えば、第1の経路における疎通確認において、第１スイッチユニット２Ａからの応答があり、第２の経路における疎通確認において、第１スイッチユニット２Ａからの応答がない場合、監視装置１は、第１の経路における疎通確認結果と、第２の経路における疎通確認結果とを比較判定することにより、電力線ＰＬ５に障害が発生したと特定することができる。  
【００４１】
なお、本発明の一態様における監視装置１で動作するプログラムは、本発明の一態様に関わる上記の各実施形態や変形例で示した機能を実現するように、ＣＰＵ（Central  Processing  Unit）等を制御するプログラム（コンピュータを機能させるプログラム）であっても良い。そして、これらの各装置で取り扱われる情報は、その処理時に一時的にＲＡＭ（Random  Access  Memory）に蓄積され、その後、Ｆｌａｓｈ  ＲＯＭ（Read  Only  Memory）などの各種ＲＯＭやＨＤＤ（Hard  Disk  Drive）に格納され、必要に応じてＣＰＵによって読み出し、修正・書き込みが行われる。
【００４２】
なお、上述した各実施形態や変形例における監視装置１の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【００４３】
なお、ここでいう「コンピュータシステム」とは、監視装置１に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【００４４】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００４５】
また、上述した各実施形態や変形例における監視装置１の一部、又は全部を典型的には集積回路であるＬＳＩとして実現してもよいし、チップセットとして実現してもよい。また、上述した各実施形態や変形例における監視装置１の各機能ブロックは個別にチップ化してもよいし、一部、又は全部を集積してチップ化してもよい。また、集積回路化の手法は、ＬＳＩに限らず専用回路、および／または汎用プロセッサで実現しても良い。また、半導体技術の進歩によりＬＳＩに代替する集積回路化の技術が出現した場合、当該技術による集積回路を用いることも可能である。
【００４６】
以上、この発明の一態様として各実施形態や変形例に関して図面を参照して詳述してきたが、具体的な構成は各実施形態や変形例に限られるものではなく、この発明の要旨を逸脱しない範囲の設計変更等も含まれる。また、本発明の一態様は、請求項に示した範囲で種々の変更が可能であり、異なる実施形態にそれぞれ開示された技術的手段を適宜組み合わせて得られる実施形態についても本発明の技術的範囲に含まれる。また、上記各実施形態や変形例に記載された要素であり、同様の効果を奏する要素同士を置換した構成も含まれる。
【符号の説明】
【００４７】
ＳＹＳ  監視システム
１  監視装置
１１  電源監視部
１１１  診断部
１１２  ネットワーク制御部
１２  電源接続部
１３、１４、１５、１６  電源モジュール
１３１  電力変換モジュール
１３２  ネットワーク制御部
ＨＢ  ハブ
ＮＷ  ネットワーク
２Ａ  第１スイッチユニット
２Ｂ  第２スイッチユニット
２  スイッチユニット
ＰＬ１、ＰＬ２、ＰＬ３、ＰＬ４、ＰＬ５、ＰＬ６  電力線
ＤＧ  電源
【図１】
2018157501.tif 000003
【図２】
2018157501.tif 000004
【図３】
2018157501.tif 000005
【図４】
2018157501.tif 000006
【図５】
2018157501.tif 000007
【図６】
2018157501.tif 000008